(57)【要約】      （修正有）【課題】一般に普及している携帯電話を使用し、簡単・確実に身体障害者を識別することができ、安心して駐車することができる身体障害者向け駐車場管理システムを提供する。【解決手段】身体障害者向けの駐車場ゲートを開閉するシステムであって、駐車場ゲートの前で、携帯電話にて駐車場ゲートを開閉することを特徴とする。【選択図】図２
0003116140.tif 000002
【実用新案登録請求の範囲】
【請求項１】
身体障害者向けの駐車場ゲートを開閉するシステムであって、駐車場ゲートの前で、携帯電話にて駐車場ゲートを開閉することを特徴とする身体障害者向け駐車場管理システム。
【請求項２】
携帯電話にて指定の電話番号及びＩＤ番号を入力することにより、認証センターにデータが送信され、身体障害者の方かどうかチェックし、駐車場ゲートの開放の信号を送信することを特徴とする請求項１記載の身体障害者向け駐車場管理システム。
【考案の詳細な説明】
【技術分野】
【０００１】  この考案は、携帯電話を使用し、身体障害者（認定者）の方々が利用する専用駐車場のゲートを本人確認した後、開閉する身体障害者向け駐車場管理システムに関するものである。
【背景技術】
【０００２】  現状として、駐車場を設置している殆どの公共施設、商業施設等では一般の駐車場と区別して車椅子利用者の駐車場を設置している。しかしながら、特別な設備をしていない車椅子利用者用駐車場の場合、一般の利用者（健常者）が駐車をして、本来の目的を果たせない場合が散見される。現在これらの不正使用に対する効果的な手立てが無いのが現状である。
また、従来の技術としては、駐車場内に駐車する車両を特定の駐車区域へ誘導する駐車車両誘導システムであって、車両側に配設され、当該車両に乗車している乗員に関する乗員データや当該車両に関する車両データを記録するデータ記録手段と、駐車場内に駐車する車両から前記データ記録手段に記録されている乗員データや車両データを電波信号により受信するデータ受信手段と、車両から前記データ受信手段により受信された乗員データや車両データに基づいて当該車両に乗車している乗員の特徴や当該車両の特徴を認識して駐車場内における駐車区域を決定する駐車区域決定手段と、該当する車両を前記駐車区域決定手段により決定された駐車区域へ誘導する駐車車両誘導手段とを備えたことを特徴とする駐車車両誘導システムがある。（特許文献１参照）【０００３】  さらに、他の従来の技術としては、障害者専用駐車場において、該専用駐車場の入口近傍に、装置本体を設け、該本体に回転表示灯を設け、さらに、前記装置本体には、文字表示器、カード挿入口、警告を促すための音声発生器とを設け、前記カード挿入口に適正なカードを挿入することにより、警告を解除することを特徴とする障害者専用駐車場における不正駐車防止装置がある。（特許文献２参照）
【特許文献１】  特開２００４−４６５１５号公報
【特許文献２】  実用新案登録第３０９４０７７号公報
【考案の開示】
【考案が解決しようとする課題】
【０００４】  しかし、上記前者においては、ナンバープレート上にＩＣチップが取り付けられている車両のみが駐車場に入れるシステムであり、台数が増えれば増えるほどコスト高となり、実施上問題がある。【０００５】  また、上記後者においては、カードを差し込むタイプであり、いちいち装置本体に差し込むため、雨の日や雪の日等は障害者にとっては苦痛となる。【０００６】  この考案は、上記の問題点に鑑みなされたもので、一般に普及している携帯電話を使用し、簡単・確実に身体障害者を識別することができ、安心して駐車することができる身体障害者向け駐車場管理システムを提供することを目的とする。
【課題を解決するための手段】
【０００７】  課題を解決するための手段として、身体障害者向けの駐車場ゲートを開閉するシステムであって、駐車場ゲートの前で、携帯電話にて駐車場ゲートを開閉すること。また、携帯電話にて指定の電話番号及びＩＤ番号を入力することにより、認証センターにデータが送信され、身体障害者の方かどうかチェックし、駐車場ゲートの開放の信号を送信することを特徴とする。
【考案の効果】
【０００８】１）、携帯電話に指定の電話番号及びＩＤ番号を入力するのみで、駐車場のゲートの開閉をコントロールできる。
２）セキュリティ効果が高く、健常者が駐車することを阻止できる。
【考案を実施するための最良の形態】
【０００９】  以下に、この考案の実施形態を図面に基づいて説明する。
身体障害者向け駐車場管理システム１は、身体障害者向けの駐車場ゲートを開閉するシステムであって、駐車場ゲート２の前で、携帯電話３にて指定の電話番号及びＩＤ番号を入力することにより、認証センター４にて身体障害者（登録者）の方かどうかチェックし、駐車場ゲート２の開放の信号を送信するものである。【００１０】  なお、上記指定の電話番号は全国統一でも、地方ごとに変更してもよい。
また、駐車場ゲートの形態は、特に限定するものではない。
【図面の簡単な説明】
【００１１】
【図１】  この考案の一実施例を示す身体障害者向け駐車場管理システムの構成図。
【図２】  この考案の一実施例を示す身体障害者向け駐車場管理システムのフローチャート図。
【符号の説明】
【００１２】１−−−身体障害者向け駐車場管理システム
２−−−駐車場ゲート
３−−−携帯電話
４−−−認証センター
【図１】
0003116140.tif 000003
【図２】
0003116140.tif 000004
【手続補正書】
【提出日】平成17年6月23日(2005.6.23)
【手続補正１】
【補正対象書類名】実用新案登録請求の範囲
【補正対象項目名】全文
【補正方法】変更
【補正の内容】
【実用新案登録請求の範囲】
【請求項１】
身体障害者向けの駐車場ゲートを開閉するシステムで、駐車場ゲートの前で、携帯電話にて駐車場ゲートを開閉する身体障害者向け駐車場管理システムであって、携帯電話にて指定の電話番号及びＩＤ番号を入力することによりデータを送信するデータ送信手段と、データが送信される認証センターと、データが身体障害者の方かどうかをチェックするチェック手段と、駐車場ゲートの開閉の信号を送信する開閉送信手段とからなることを特徴とする身体障害者向け駐車場管理システム。
【手続補正２】
【補正対象書類名】明細書
【補正対象項目名】全文
【補正方法】変更
【補正の内容】
【考案の詳細な説明】
【技術分野】
【０００１】  この考案は、携帯電話を使用し、身体障害者（認定者）の方々が利用する専用駐車場のゲートを本人確認した後、開閉する身体障害者向け駐車場管理システムに関するものである。
【背景技術】
【０００２】  現状として、駐車場を設置している殆どの公共施設、商業施設等では一般の駐車場と区別して車椅子利用者の駐車場を設置している。しかしながら、特別な設備をしていない車椅子利用者用駐車場の場合、一般の利用者（健常者）が駐車をして、本来の目的を果たせない場合が散見される。現在これらの不正使用に対する効果的な手立てが無いのが現状である。  また、従来の技術としては、駐車場内に駐車する車両を特定の駐車区域へ誘導する駐車車両誘導システムであって、車両側に配設され、当該車両に乗車している乗員に関する乗員データや当該車両に関する車両データを記録するデータ記録手段と、駐車場内に駐車する車両から前記データ記録手段に記録されている乗員データや車両データを電波信号により受信するデータ受信手段と、車両から前記データ受信手段により受信された乗員データや車両データに基づいて当該車両に乗車している乗員の特徴や当該車両の特徴を認識して駐車場内における駐車区域を決定する駐車区域決定手段と、該当する車両を前記駐車区域決定手段により決定された駐車区域へ誘導する駐車車両誘導手段とを備えたことを特徴とする駐車車両誘導システムがある。（特許文献１参照）【０００３】  さらに、他の従来の技術としては、障害者専用駐車場において、該専用駐車場の入口近傍に、装置本体を設け、該本体に回転表示灯を設け、さらに、前記装置本体には、文字表示器、カード挿入口、警告を促すための音声発生器とを設け、前記カード挿入口に適正なカードを挿入することにより、警告を解除することを特徴とする障害者専用駐車場における不正駐車防止装置がある。（特許文献２参照）【特許文献１】特開２００４−４６５１５号公報
【特許文献２】実用新案登録第３０９４０７７号公報
【考案の開示】
【考案が解決しようとする課題】
【０００４】  しかし、上記前者においては、ナンバープレート上にＩＣチップが取り付けられている車両のみが駐車場に入れるシステムであり、台数が増えれば増えるほどコスト高となり、実施上問題がある。【０００５】  また、上記後者においては、カードを差し込むタイプであり、いちいち装置本体に差し込むため、雨の日や雪の日等は障害者にとっては苦痛となる。【０００６】  この考案は、上記の問題点に鑑みなされたもので、一般に普及している携帯電話を使用し、簡単・確実に身体障害者を識別することができ、安心して駐車することができる身体障害者向け駐車場管理システムを提供することを目的とする。
【課題を解決するための手段】
【０００７】  課題を解決するための手段として、身体障害者向けの駐車場ゲートを開閉するシステムで、駐車場ゲートの前で、携帯電話にて駐車場ゲートを開閉する身体障害者向け駐車場管理システムであって、携帯電話にて指定の電話番号及びＩＤ番号を入力することにより、データを送信するデータ送信手段と、データが送信される認証センターと、データが身体障害者の方かどうかをチェックするパーソナルコンピュータ等によるチェック手段と、駐車場ゲートの開閉の信号を送信する開閉送信手段とからなることを特徴とする。
【考案の効果】
【０００８】１）、携帯電話に指定の電話番号及びＩＤ番号を入力するのみで、駐車場のゲートの開閉をコントロールできる。２）セキュリティ効果が高く、健常者が駐車することを阻止できる。
【考案を実施するための最良の形態】
【０００９】  以下に、この考案の実施形態を図面に基づいて説明する。  携帯電話にて指定の電話番号及びＩＤ番号を入力することによりデータを送信する送信手段１と、データが送信される認証センター２と、データが身体障害者の方かどうかをチェックするパーソナルコンピュータ等によるチェック手段３と、駐車場ゲート４の開閉の信号を送信する開閉送信手段５からなることを特徴とする身体障害者向け駐車場管理システムである。  身体障害者向け駐車場管理システムは、身体障害者向けの駐車場ゲート４を開閉するシステムであって、駐車場ゲート４の前で、携帯電話（データ送信手段１）にて指定の電話番号及びＩＤ番号を入力することにより、認証センター２にて身体障害者（登録者）の方かどうかチェック手段３にてチェックし、駐車場ゲート４の開放の信号（開閉送信手段５）を送信するものである。【００１０】  なお、上記指定の電話番号は全国統一でも、地方ごとに変更してもよい。  また、駐車場ゲートの形態は、特に限定するものではない。
【図面の簡単な説明】
【００１１】
【図１】この考案の一実施例を示す身体障害者向け駐車場管理システムの構成図。
【図２】この考案の一実施例を示す身体障害者向け駐車場管理システムのフローチャート図。
【符号の説明】
【００１２】１−−−データ送信手段２−−−認証センター３−−−チェック手段４−−−開閉送信手段
【手続補正３】
【補正対象書類名】図面
【補正対象項目名】図１
【補正方法】変更
【補正の内容】
【図１】
0003116140.tif 000005